(57)【特許請求の範囲】
【請求項１】
アウタロッドと、アウタロッド内にスライド可能に挿着されるインナロッドとからなり、アウタロッドが、内周前部に正転めねじ、内周後部に逆転めねじを備え、インナロッドが、外周前部に正転おねじとストッパと逆転おねじとを備えていることを特徴とするエクステンションロッド。
【発明の詳細な説明】
【０００１】
【発明の属する技術分野】
本発明は、送り機構を備えたガイドシェル上に打撃機構と回転機構を備えたさく岩機を搭載し、岩盤に発破孔やロックボルト孔等をさく孔するさく孔装置において、さく岩機に接続して使用されるエクステンションロッドに関するものである。
【０００２】
【従来の技術】
ガイドシェル上にさく岩機を搭載したさく孔装置を用いて、トンネル内で５ｍ〜６ｍ程度の長孔をさく孔する場合、従来は、さく岩機のシャンクロッドに、さく孔長に合わせた長いロッドを１本接続してさく孔するか、あるいはロッドセッタまたはロッドチェンジャ等のロッド接続装置を使用し、さく孔長より短いロッドを複数本接続しながらさく孔している。
【０００３】
【発明が解決しようとする課題】
しかし、５ｍ〜６ｍもある長いロッドを用いてさく孔するためには、長いガイドシェルを設けることが必要であり、ガイドシェルの重量が増加する。このため、ガイドシェルを支持する支持機構が大きくなり台車も大型化する。
また、トンネルの周壁にロックボルト孔をさく孔するとき、ガイドシェルの全長が長すぎてトンネルの断面内に収まりきれず、さく孔ができなくなることもある。
【０００４】
これに対し、ロッド接続装置を使用する場合には、ガイドシェルを長くする必要はないが、制御機器が多くなり、多数の操作レバーを操作しなければならず、また時には専用の接続用ロッドが必要であり、装置が高価となる。
本発明は、さく孔装置における上記課題を解決するものであって、ロッド接続装置を使用せず、ガイドシェルを長くすることなく、長孔のさく孔を可能とするさく岩機のエクステンションロッドを提供することを目的とする。
【０００５】
【課題を解決するための手段】
本発明のエクステンションロッドは、アウタロッドと、アウタロッド内にスライド可能に挿着されるインナロッドとからなり、アウタロッドが、内周前部に正転めねじ、内周後部に逆転めねじを備え、インナロッドが、外周前部に正転おねじとストッパと逆転おねじとを備えている。
【０００６】
ここで、さく岩機の正転が左回転である場合、正転めねじと正転おねじは左ねじ、逆転めねじと逆転おねじは右ねじである。なお、さく岩機の正転が右回転であれば、正転めねじと正転おねじは右ねじ、逆転めねじと逆転おねじは左ねじとなる。
このエクステンションロッドは、アウタロッドの前端にビットが取付けられ、インナロッドの後端がスリーブを介してさく岩機のシャンクロッドに接続される。
【０００７】
さく孔開始時には、エクステンションロッドは縮小され、インナロッドの前部の正転おねじがアウタロッドの前部の正転めねじに締結されている。
この状態でさく孔を行って、さく岩機がガイドシェルの前端まで移動したら、アウタロッドをクランプし、さく岩機を逆転後退させてインナロッドの前部の正転おねじをアウタロッドの前部の正転めねじから離脱させる。
【０００８】
その後、さく岩機を正転させながらガイドシェル上を後退させると、インナロッドがアウタロッドから抜き出されてエクステンションロッドが伸長する。やがて、インナロッドの前部の逆転おねじがアウタロッドの後部の逆転めねじに螺合し、ストッパがアウタロッドの後部の逆転めねじに当接したところで、エクステンションロッドの伸長が終了する。
【０００９】
エクステンションロッドの伸長が終了したら、アウタロッドのクランプを解除し、再びさく岩機を前進させてさく孔を行う。
所定長のさく孔が終了したら、さく岩機を後退させてアウタロッドをクランプし、さく岩機を逆転前進させてインナロッドの逆転おねじをアウタロッドの逆転めねじから離脱させる。
【００１０】
その後、さく岩機を正転させながらガイドシェル上を前進させると、インナロッドがアウタロッド内に挿入されてエクステンションロッドが縮小する。インナロッドの前部の正転おねじがアウタロッドの前部の正転めねじに締結されたところで、エクステンションロッドの縮小が終了する。
エクステンションロッドの縮小が終了したら、アウタロッドのクランプを解除し、さく岩機をガイドシェルの後端まで後退させてさく孔を終了する。
【００１１】
このように、本発明のエクステンションロッドは伸縮できるので、ロッド接続装置を使用せず、且つ短いガイドシェルを使用して長いさく孔が可能となる。
【００１２】
【発明の実施の形態】
図１は本発明の実施の一形態を示すエクステンションロッドの構成図、図２はエクステンションロッドをさく岩機に接続した状態を示すさく孔装置の側面図、図３はアウタロッドの前部の拡大図、図４はアウタロッドの後部の拡大図、図５はインナロッドの前部の拡大図、図６はエクステンションロッドの伸長手順の説明図である。
【００１３】
エクステンションロッド１は、アウタロッド２と、アウタロッド２内にスライド可能に挿着されるインナロッド３とで構成されている。
アウタロッド２は、中空のアウタチューブ４の前端にビットアダプタ連結用ねじ５を設けてビットアダプタ６を螺着固定し、アウタチューブ４の後端にアウタエンド７を溶接固定したものであり、ビットアダプタ６の先端には、ビット８を取付けるためのビット取付用ねじ９が設けられ、その中心部には繰粉排出用の小孔１０が穿設されている。
【００１４】
なお、アウタロッド２は、アウタチューブ４にビットアダプタ６を溶接固定し、アウタエンド７を螺着固定するように構成してもよく、また、ビット８を取付けるために、ビット取付用ねじ９に代えてテーパー加工にすることもできる。
このビットアダプタ６の内周には、正転めねじ１１が設けられ、アウタチューブ４の後端の内周には、逆転めねじ１２が設けられている。また、アウタエンド７には、外部からのダストの進入を防止するためのダストシール１３と、水漏れ防止用のオーリング１４とが取付けられている。
【００１５】
インナロッド３の前端外周には、正転おねじ１５が設けられ、その後にストッパ１６、それに続いて逆転おねじ１７が設けられている。ストッパ１６は、アウタロッド２の内径より小径であるが、逆転めねじ１２の谷の径より大径となっておりインナロッド３がアウタロッド２から後方へ抜け出すのを防止する。
インナロッド３の後端外周には、さく岩機１８のシャンクロッド１９にスリーブ２０を介して接続するための接続用ねじ２１が設けられている。
【００１６】
エクステンションロッド１の組立は、次の手順で行う。
まず、アウタチューブ４の後端部にダストシール１３とオーリング１４とを組み込む。
次に、アウタチューブ４の前方からインナロッド３をアウタチューブ４内に挿入する。
【００１７】
続いて、アウタチューブ４の前端にビットアダプタ６を螺着固定し、インナロッド３の正転おねじ１５をビットアダプタ６の正転めねじ１１に締結する。
このエクステンションロッド１は、図２に示すように、ビットアダプタ６の前端にビット８が取付けられ、インナロッド３の後端がスリーブ２０を介してさく岩機１８のシャンクロッド１９に接続される。
【００１８】
さく岩機１８は送り機構を備えた従来の３ｍフィード用のガイドシェル２２に搭載されており、送り機構によって前後に移動する。ガイドシェル２２の前端部には、アウタロッド２をクランプ可能な油圧作動のセントラライザ２３が設けられている。
また、さく岩機１８は打撃機構と回転機構を備えており、打撃と回転とをエクステンションロッド１を介してビット８に与えて岩盤にさく孔する。
【００１９】
ここで、さく岩機１８は正転が左回転であるので、正転めねじ１１と正転おねじ１５は左ねじ、逆転めねじ１２と逆転おねじ１７は右ねじとなっている。
さく孔開始時には、図６（ａ）に示すように、エクステンションロッド１は縮小され、インナロッド３の正転おねじ１５がアウタロッド２の正転めねじ１１に締結されている。
【００２０】
短い孔長のさく孔を行う場合には、このままさく孔作業を行えばよい。
５〜６ｍ程度の長孔をさく孔する場合には、まず、この状態でさく岩機１８を正転前進させながらさく孔を行って、図６（ｂ）に示すように、さく岩機１８がガイドシェル２２の前端まで移動したら、アウタロッド２の後端部をセントラライザ２３でクランプし、さく岩機１８を逆転後退させてインナロッド３の正転おねじ１５をアウタロッド２の正転めねじ１１から離脱させる。
【００２１】
その後、さく岩機１８を正転させながらガイドシェル２２上を後退させると、図６（ｃ）に示すように、インナロッド３がアウタロッド４から抜き出されてエクステンションロッド１が伸長する。そして、インナロッド３の逆転おねじ１７がアウタロッド２の後部の逆転めねじ１２に螺合し、ストッパ１６がアウタロッド２の逆転めねじ１２前端の角部に当接したところで、エクステンションロッド１の伸長が終了する。このとき、さく岩機１８の正転（左回転）により、右ねじであるインナロッド３の逆転おねじ１７は抜け出し方向への回転力を受けるが、ストッパ１６によって抜け出し方向への移動は阻止されるため、強いねじ締結力が働くことになる。
【００２２】
エクステンションロッド１の伸長が終了したら、セントラライザ２３を開いてアウタロッド２のクランプを解除し、再びさく岩機１８を正転前進させてさく孔を行う。
図６（ｄ）に示すように、所定長のさく孔が終了したら、図６（ｃ）の位置までさく岩機１８を後退させてアウタロッド２をクランプし、さく岩機１８を逆転前進させてインナロッド３の逆転おねじ１７をアウタロッド２の逆転めねじ１２から離脱させる。
【００２３】
その後、さく岩機１８を正転させながらガイドシェル２２上を図６（ｂ）の位置まで前進させると、インナロッド３がアウタロッド２内に挿入されてエクステンションロッド１が縮小する。インナロッド３３の前部の正転おねじ１５がアウタロッド２の前部の正転めねじ１１に締結されたところで、エクステンションロッド１の縮小が終了する。
【００２４】
エクステンションロッド１の縮小が終了したら、アウタロッド２のクランプを解除し、さく岩機１８を図６（ａ）のようにガイドシェル２２の後端まで後退させてさく孔を終了する。
このエクステンションロッド１は伸縮できるので、ロッド接続装置を使用せず、且つ短い３ｍフィード用のガイドシェルを使用して５〜６ｍ程度の長いさく孔が可能となる。断面の小さいトンネル内でのロックボルト孔のさく孔も容易である。
【００２５】
【発明の効果】
以上説明したように、本発明のエクステンションロッドによれば、ロッド接続装置を使用せず、ガイドシェルを長くすることなく、長孔のさく孔が可能となり、さく孔装置が大型化せず、コストが低減できる。
【図面の簡単な説明】
【図１】本発明の実施の一形態を示すエクステンションロッドの構成図である。
【図２】エクステンションロッドをさく岩機に接続した状態を示すさく孔装置の側面図である。
【図３】アウタロッドの前部の拡大図である。
【図４】アウタロッドの後部の拡大図である。
【図５】インナロッドの前部の拡大図である。
【図６】エクステンションロッドの伸長手順の説明図である。
【符号の説明】
１      エクステンションロッド
２      アウタロッド
３      インナロッド
４      アウタチューブ
５      アダプタ連結用ねじ
６      ビットアダプタ
７      アウタエンド
８      ビット
９      ビット取付用ねじ
１０    小孔
１１    正転めねじ
１２    逆転めねじ
１３    ダストシール
１４    オーリング
１５    正転おねじ
１６    ストッパ
１７    逆転おねじ
１８    さく岩機
１９    シャンクロッド
２０    スリーブ
２２    ガイドシェル
２３    セントラライザ
【図１】
0003654441.tif 000002
【図２】
0003654441.tif 000003
【図３】
0003654441.tif 000004
【図４】
0003654441.tif 000005
【図５】
0003654441.tif 000006
【図６】
0003654441.tif 000007